(57)【要約】【課題】天井裏のスペースに関係なく、化粧パネルの化粧面をできるだけ高い位置にすることができる天井埋込型空気調和機の化粧パネルを提供する。【解決手段】吸込口を囲う辺部に吹出口を備え、天井１００に形成された開口部１０２Ａを下側から覆って空気調和機本体１に取り付けられる天井埋込型空気調和機の化粧パネルにおいて、開口部１０２Ａに取り付けられる縁部に少なくとも２つの段部を備え、それぞれの段部に天井面１０１と接して取り付け可能な水平面部５１Ａ、５２Ａを形成した。【選択図】図１
2007303788.tif 000002
【特許請求の範囲】
【請求項１】
吸込口を囲う辺部に吹出口を備え、天井に形成された開口部を下側から覆って空気調和機本体に取り付けられる天井埋込型空気調和機の化粧パネルにおいて、
前記開口部に取り付けられる縁部に少なくとも２つの段部を備え、それぞれの段部に前記天井面と接して取り付け可能な水平面部を形成したことを特徴とする天井埋込型空気調和機の化粧パネル。
【請求項２】
前記化粧パネルの化粧面が前記天井面と略平行に形成されていることを特徴とする請求項１に記載の天井埋込型空気調和機の化粧パネル。
【請求項３】
前記段部を化粧パネルの表面側から裏面側に向かって上り階段状に形成し、下側から２つ目以降の前記水平面部を前記天井面に取り付けて、前記化粧パネルの外周縁部と前記天井面との間に、前記化粧パネルの外周縁部の延在方向に沿って延びる隙間を形成することを特徴とする請求項１または請求項２に記載の天井埋込型空気調和機の化粧パネル。
【請求項４】
前記水平面部は、建家側の天井面と空気調和機の上部との間のスペースに基づいて選定されることを特徴とする請求項１から請求項３のいずれか１つに記載の天井埋込型空気調和機の化粧パネル。
【発明の詳細な説明】
【技術分野】
【０００１】
本発明は、天井埋込型の空気調和機に用いられ、吸込口や吹出口が形成された化粧パネルを室内の天井面に下側から取り付けるための天井埋込型空気調和機の化粧パネルに関する。
【背景技術】
【０００２】
一般的な天井埋込型空気調和機は、送風機、熱交換器などを収納する本体部を備え、この本体部は、室内の天井に設けた開口部から挿入されて、天井の裏側のスペースに吊り金具を用いて取り付けられている。この本体部を取り付けた後には、天井の開口部を下側から塞ぐように化粧パネルが天井面に取り付けられる。この化粧パネルが取り付けられた状態では、化粧パネルの表側面（化粧面）が化粧パネルの厚み分だけ天井面の位置よりも下側に位置することになる。（例えば、特許文献１参照）。
【特許文献１】特開２００５−１１４３２１号公報
【発明の開示】
【発明が解決しようとする課題】
【０００３】
一方、本体部が天井裏に納まらない場合には、納まらない寸法の分だけ化粧パネルの化粧面を下側にずらして、本体部の取り付けスペースを拡張している。しかしながら、建物の天井裏のスペースはまちまちであり、このスペースにあわせて複数の化粧パネルを用意するのは、コストアップの要因となる。
他方、化粧パネルは室内側から見えるため、天井面よりも目に見えて低い位置に化粧面があるのは意匠性が悪い。そのため、化粧パネルの化粧面を下側に位置する状態で化粧パネルを標準化することにも問題がある。
【０００４】
本発明は、上述した事情に鑑みてなされたものであり、天井裏のスペースに関係なく、化粧パネルの化粧面をできるだけ高い位置にすることができる天井埋込型空気調和機の化粧パネルを提供することを目的とする。
【課題を解決するための手段】
【０００５】
本発明では、吸込口を囲う辺部に吹出口を備え、天井に形成された開口部を下側から覆って空気調和機本体に取り付けられる天井埋込型空気調和機の化粧パネルにおいて、前記開口部に取り付けられる縁部に少なくとも２つの段部を備え、それぞれの段部に前記天井面と接して取り付け可能な水平面部を形成したことを特徴とする。
この構成によれば、化粧パネルの化粧面の位置を自由に決定することができる。
【０００６】
この場合において、前記化粧パネルの化粧面が前記天井面と略平行に形成されていてもよい。
この構成によれば、化粧パネルの厚みを薄く見せることができる。
【０００７】
また、前記段部を化粧パネルの表面側から裏面側に向かって上り階段状に形成し、下側から２つ目以降の前記水平面部を前記天井面に取り付けて、前記化粧パネルの外周縁部と前記天井面との間に、前記化粧パネルの外周縁部の延在方向に沿って延びる隙間を形成してもよい。
この構成によれば、化粧パネルの縁部の厚みを薄く見せることができる。
【０００８】
さらに、前記水平面部は、建家側の天井面と空気調和機の上部との間のスペースに基づいて選定されるようにしてもよい。
この構成によれば、天井裏のスペースの異なる各建家毎に、化粧パネルの取付位置を自由に変更することができる。
【発明の効果】
【０００９】
本発明によれば、前記開口部に取り付けられる縁部に少なくとも２つの段部を備え、それぞれの段部に前記天井面と接して取り付け可能な水平面部を形成することにより、化粧パネルの取付の際に、取付可能な段部を選択して、化粧パネルの化粧面の位置を自由に決定することができる。これにより、天井裏のスペースに関係なく、化粧パネルの化粧面をできるだけ高い位置に決定することができる。
また、室内の天井面と化粧パネルの外周縁部との間に隙間を形成することにより、化粧パネルの外周縁部の板厚が薄く見えるので、化粧パネルの実際の板厚を感じさせず、化粧パネルの全体の厚みを薄く見せることができる。そのため、天井面と略平行な化粧パネルの化粧面（表面）を採用することができる。
さらに、天井面と化粧パネルの外周縁部との間に隙間を形成しているので、化粧パネルの吹出口から吹き出される空気が天井面に直接当たらなくなる。そのため、吹き出し空気によって天井面を汚してしまうスマッジングを防止することができる。
【発明を実施するための最良の形態】
【００１０】
以下、本発明の実施の形態に係る天井埋込型空気調和機の化粧パネルについて、図面を参照しながら説明する。図１は、４方向天井カセット形の空気調和機の室内機の側部断面図、図２は、図１における室内機の化粧パネルを室内側から見た斜視図を示す。
【００１１】
４方向天井カセット形の空気調和装置の室内機１は、図１に示すように、本体部の外側部分を天板６と側板７とで構成され、下側に開口を備えた略角柱形状に形成されている。この室内機１は、建家側の天井１００（天井裏のスペースＱを形成する建家の屋根の裏面）と室内側の天井１０１との間に配置され、天井１００から吊りボルト１５で吊り下げられている。一方、室内側の天井１０１には、室内機１にアクセス可能な開口部１０２Ａが設けられており、この開口部１０２Ａは、室内側から化粧パネル２で塞がれている。
【００１２】
化粧パネル２は、図２に示すように、その外形が矩形形状に形成されており、この化粧パネル２には、中央部に形成された吸込口３と、この吸込口３の周囲を囲むように、４辺に沿って４つの吹出口４Ａ、４Ｂ、４Ｃ、４Ｄとが設けられている。それぞれの吹出口４Ａ、４Ｂ、４Ｃ、４Ｄにはフラップ５Ａ、５Ｂ、５Ｃ、５Ｄが設けられており、図示しないフラップモータによって、各フラップ５Ａ、５Ｂ、５Ｃ、５Ｄが個別に駆動されるようになっている。
【００１３】
室内機１の内部には、図１に示すように、天板６の下面にファンモータ８が固定され、このファンモータ８のシャフトに羽根車９が取り付けられている。これらファンモータ８及び羽根車９によって、送風機１０が構成されている。この送風機１０を取り囲むように、多角形に曲げられた熱交換器１１が、発泡スチロール製の断熱材１２の内側に配置されている。
この熱交換器１１の下側には、熱交換器１１の下面１１Ａを覆うように、発泡スチロール製のドレンパン１３が配置されている。このドレンパン１３には、送風機１０のベルマウス１４や図示しない電装ボックス等の各種部品がねじ止めされている。
【００１４】
なお、空気調和装置は、図示は省略するが、室外機に備えた圧縮機、室外熱交換器等と、室内機１の熱交換器１１等とで構成される冷凍サイクルを備えており、冷房運転時（或いはドライ運転時）は、室内機１の熱交換器１１が蒸発器として機能し、暖房運転時は、室内機１の熱交換器１１が凝縮器として機能する。
【００１５】
図３は、図１における化粧パネル２の４辺のうちの１辺の縁部を拡大して示す断面図である。
化粧パネル２は、矩形形状の４辺（図２参照）の縁部に、図３に示すように、化粧パネル２の表側面２Ａ（化粧面２Ａ）から裏側面２Ｃに向かって上り階段状に２つの段差（段部）が形成されている。詳細には、この２つの段差は、化粧パネル２の化粧面２Ａから上方に延びる外周縁部２Ｂと、この外周縁部２Ｂの上端部から水平方向の内側（図３における右側）に延びる第１平面部５１Ａと、この第１平面部５１Ａの内側端部から上方に延びる第１縁部５１Ｂと、この第１縁部５１Ｂの上端部から水平方向の内側に延びる第２平面部５２Ａと、この第２平面部５２Ａの内側端部から上方の裏側面２Ｃまで延びる第２縁部５２Ｂとで構成されている。
【００１６】
第２縁部５２Ｂは、図１および図３に示すように、天井１０１の開口部１０２Ａの形状よりも小さく、この開口部１０２Ａの内側にはまり込む寸法に形成されている。また、開口部１０２Ａの形状は、第１縁部５１Ｂの形状よりも小さく形成されている。一方、第２平面部５２Ａは、天井１０１の室内面１０１Ａが接するように取り付けられる。
このように化粧パネル２が組み付けられた状態では、図２および図３に示すように、天井１０１の室内面１０１Ａ、第１縁部５１Ｂ、第１平面部５１Ａによって、溝状の隙間Ｓが４辺に沿って形成されることになる。
【００１７】
上述の構成では、図１および図２に示すように、室内側の室内面１０１Ａよりも化粧パネル２の化粧面２Ａが寸法Ｔ１だけ下側に突出することになる。しかしながら、室内側から化粧パネル２の外周縁部２Ｂを見ると、溝状の隙間Ｓが存在することにより、化粧パネル２の外周縁部２Ｂの厚みＴ２しか見ることができない。そのため、化粧パネル２の厚みＴ２が外周縁部２Ｂの厚みのように見える。これにより、化粧パネル２を薄く見せることができる。
【００１８】
一方、建家側の天井１００と、天井裏のスペースＱが十分にあり、室内機１の天板６との間にスペース的に余裕がある場合には、図１の状態から室内機１をさらに上側に持ち上げて取り付けることができる。図４は、図１における室内機１をさらに上側に持ち上げて取り付けた状態を示しており、図５は、図４における室内機１の化粧パネル２を室内側から見た斜視図を示している。また、図３では、室内機１を持ち上げたて取り付けた状態における天井１０１を、二点差線で示している。
【００１９】
図３に示す状態では、二点差線で示す天井１０１には、開口部１０２Ａよりも若干大きな寸法の開口部１０２Ｂが形成されている。この開口部１０２Ｂは、化粧パネル２の第１縁部５１Ｂの形状よりも大きく、かつ、化粧パネル２の外周縁部２Ｂの形状よりも小さく形成されている。一方、第１平面部５１Ａは、天井１０１の室内面１０１Ａが接するように取り付けられる。
このように化粧パネル２が組み付けられた状態では、図４および図５に示すように、溝状の隙間Ｓ（図１および図２参照）が４辺に沿って形成されない。
【００２０】
上述の構成では、図４および図５に示すように、化粧面２Ａが寸法Ｔ２だけ下側に突出することになる。すなわち、天井裏のスペースＱが十分にあり、室内機１を上側に取り付けることができる場合には、隙間Ｓを作らず化粧面２Ａの実際の突出寸法を小さくすることができる。
【００２１】
本発明の実施の形態に係る天井埋込型空気調和機の化粧パネルによれば、化粧パネル２の縁部に、第１平面部５１Ａ、第２平面部５２Ａを形成し、この第１平面部５１Ａ、第２平面部５２Ａが天井面１０１と接して取り付け可能になっているので、室内機１の位置に合わせて、化粧パネル２の取付位置を適宜選択することができる。これにより、化粧パネル２の化粧面２Ａをできるだけ高い位置に決定することができる。
【００２２】
また、化粧パネル２の外周縁部２Ｂと天井の室内面１０１Ａとの間に、化粧パネル２の外周縁部２Ｂの延在方向に沿って延びる隙間Ｓを形成することで、室内側から化粧パネル２の外周縁部２Ｂしか見えないようにすることにより、化粧パネル２の実際の厚みを薄く見せることができる。
さらに、隙間Ｓを形成することにより、化粧パネル２の吹出口から吹き出される空気が天井面１０１に直接当たらなくなる。そのため、吹き出し空気によって天井１０１の室内面１０１Ａを汚してしまうスマッジングを防止することができる。
【００２３】
また、化粧パネル２の外周縁部２Ｂには、化粧パネル２の表側面２Ａから裏側面２Ｃに向かって上り階段状に形成された複数の段部を有し、この段部の１つを室内面１０１Ａに取り付けて隙間Ｓを形成することにより、開口部１０２Ａに組み付ける段差を、この複数の段部から選定することができる。これにより、空気調和機の取付工事毎に、組み付ける段差を自由に選択することができる。
【００２４】
さらにまた、段差の選択を、建家側の天井面１００と室内機１の天板６との間のスペースＱに基づいて段部の１つを選択することにより、化粧パネル２と室内面１０１Ａとの隙間Ｓをより細かに調節することができる。これにより、化粧パネル２の厚さをより薄く見せることができる。
また、化粧パネル２を、一番下側（化粧面２Ａ側）の段差を用いて開口部１０２Ａに組み立てて、隙間Ｓを設けないようにすることにより、化粧パネル２の実際の突出寸法を最小限度にすることができる。
【００２５】
以上、本発明を実施するための最良の形態について述べたが、本発明は既述の実施形態に限定されるものではなく、本発明の技術思想に基づいて各種の変形および変更が可能である。
本実施の形態では、化粧パネル２の縁部に段差を２つ設ける態様で構成しているが、段差の数は２つ以上であれば複数設けてあってもかまわない。これにより、化粧パネル２の段差と開口部１０２Ａとの組み立ての自由度を増やすことができる。これにより、天井裏のスペースＱに合わせて、室内機１の位置を上側にして、化粧パネル２の化粧面２Ａの下側への突出量が少なくなるように、化粧パネル２の取付位置をより細かく調整することができる。
【００２６】
更に、化粧パネル２に形成される吸込口３は、図２で示すように、中央部を覆う態様で矩形状の吸込口としたり、図５で示すように、グリル状の吸込口としてもよい。
【図面の簡単な説明】
【００２７】
【図１】本発明の実施の形態に係る天井埋込型空気調和機を示す側部断面図である。
【図２】本発明の実施の形態に係る天井埋込型空気調和機の化粧パネルを斜め下側から見た全体斜視図である。
【図３】化粧パネルの外周縁部が組み立てられた状態を示す拡大断面図である。
【図４】図１の化粧パネルを隙間ができないように組み立てた状態を示す側部断面図である。
【図５】図２の化粧パネルを隙間ができないように組み立てた状態を化粧パネルの斜め下側から見た全体斜視図である。
【符号の説明】
【００２８】
１  室内機
２  化粧パネル
２Ａ  表側面（化粧面）
２Ｂ  外周縁部
２Ｃ  裏側面
６  天板
５１Ａ  第１平面部
５１Ｂ  第１縁部
５２Ａ  第２平面部
５２Ｂ  第２縁部
１０１  天井
１０１Ａ  室内面
１０２Ａ、１０２Ｂ  開口部
Ｑ  天井裏のスペース
Ｓ  隙間
【図１】
2007303788.tif 000003
【図２】
2007303788.tif 000004
【図３】
2007303788.tif 000005
【図４】
2007303788.tif 000006
【図５】
2007303788.tif 000007